(57)【要約】【課題】シミュレーション対象を容易に入れ替えることが可能なプラント運転シミュレータを提供する。【解決手段】一実施形態によれば、プラント運転シミュレータは、モデルデータベースと、本体部と、シミュレーション支援装置と、を備える。モデルデータベースは、プラントの状態に関連するモデルデータを格納する。本体部は、モデルデータベースから読み出したモデルデータを用いて、プラントの運転をシミュレーションする。シミュレーション支援装置は、本体部のシミュレーション条件に対応するデータを格納または作成し、データをモデルデータに変換してモデルデータベースで入れ替える。【選択図】図１
2019159276.tif 000002
【特許請求の範囲】
【請求項１】
プラントの状態に関連するモデルデータを格納するモデルデータベースと、
前記モデルデータベースから読み出した前記モデルデータを用いて、前記プラントの運転をシミュレーションする本体部と、
前記本体部のシミュレーション条件に対応するデータを格納または作成し、前記データを前記モデルデータに変換して前記モデルデータベースで入れ替えるシミュレーション支援装置と、
を備える、プラント運転シミュレータ。
【請求項２】
前記シミュレーション支援装置は、
複数の前記データを格納する１次データベースと、
前記シミュレーション条件を指定する条件指定部と、
前記１次データベースから前記条件指定部の指定に対応するデータを読み出し、読み出したデータを前記モデルデータに変換して前記モデルデータベースで入れ替えるデータ処理部と、
を有する、請求項１に記載のプラント運転シミュレータ。
【請求項３】
前記１次データベースに格納される前記データは複数の炉心データであり、
前記条件指定部は、模擬対象となる炉心およびその運転点を前記シミュレーション条件として指定する、
請求項２に記載のプラント運転シミュレータ。
【請求項４】
前記シミュレーション支援装置は、前記条件指定部の前記指定に基づいて前記データを作成し、作成したデータを前記１次データベースへ格納するデータ作成部をさらに有する、請求項２または３に記載のプラント運転シミュレータ。
【請求項５】
前記シミュレーション支援装置は、
前記本体部のシミュレーション条件を指定する条件指定部と、
前記条件指定部の指定に基づいて前記データを作成するデータ作成部と、
前記データ作成部で作成された前記データを前記モデルデータに変換して前記モデルデータベースへ格納するデータ処理部と、
を有する、請求項１に記載のプラント運転シミュレータ。
【請求項６】
前記シミュレーション支援装置は、
データ形式がそれぞれ異なる複数の前記データを含むデータ群と、
前記データ形式に対応して前記複数のデータをそれぞれ前記モデルデータに変換する複数のデータ処理部を含むデータ処理群と、
前記本体部のシミュレーション条件に基づいて前記複数のデータ処理部のいずれかを指定する条件指定部と、
を有する、請求項１に記載のプラント運転シミュレータ。
【請求項７】
前記シミュレーション支援装置は、前記本体部のシミュレーション結果に基づいて、シミュレーション開始時における前記プラントの状態が静定しているか否かを判定する静定判定部をさらに有する、請求項１から６のいずれかに記載のプラント運転シミュレータ。
【請求項８】
前記シミュレーション支援装置は、シミュレーション対象が入れ替わったとき、入替前後における前記本体部のシミュレーション結果の不一致量を求めるデータ評価部をさらに有する、請求項１から７のいずれかに記載のプラント運転シミュレータ。
【請求項９】
プラントの運転をシミュレーションするシミュレーション条件を指定する条件指定部と、
前記条件指定部の前記指定に基づいてデータを作成するデータ作成部と、
前記データ作成部で作成された複数の前記データを格納する１次データベースと、
前記１次データベースから前記条件指定部の前記指定に対応するデータを読み出し、読み出したデータを、前記プラントの状態に関連するモデルデータに変換して出力するデータ処理部と、
を備える、シミュレーション支援装置。
【請求項１０】
プラントの運転をシミュレーションするシミュレーション条件を指定し、
前記シミュレーション条件に対応するデータを格納または作成し、
前記データを、前記プラントの状態に関連するモデルデータに変換して入れ替え、
入れ替えた前記モデルデータを用いて、前記プラントの運転をシミュレーションする、
プラント運転シミュレーション方法。
【発明の詳細な説明】
【技術分野】
【０００１】
本発明の実施形態は、プラント運転シミュレータ、シミュレーション支援装置、およびプラント運転シミュレーション方法に関する。
【背景技術】
【０００２】
原子力プラントには、一般的に、運転員が運転操作の習熟訓練を行うために、運転シミュレータを設置している。また、プラント運転員でなくともプラントの挙動を学習することができる小型シミュレータによる訓練が行われる場合もある。
【先行技術文献】
【特許文献】
【０００３】
【特許文献１】特開２０１４−７７８９６号公報
【発明の概要】
【発明が解決しようとする課題】
【０００４】
従来のプラント運転シミュレータは、運転手順の習熟を前提としているので、プラントの状態に関して予め設定された挙動のみをシミュレーションする仕様となっている。その結果、毎回同じ挙動を示す限定的な運転訓練しか行うことができなかった。シミュレーション対象を入れ替えるためには新たなモデルデータが必要になる。しかし、モデルデータを新たにシミュレータ内に取り込むには手間がかかる。
【０００５】
他方で、近年では、プラント運転シミュレータによる従来の運転訓練に加えてさらなる機能拡張、追加の要求がある。従来の運転訓練シミュレータではある特定の炉心のみしか模擬しておらず、起動停止および過渡応答時の炉心特性は毎回同じだが、実際には装荷されている燃料の種類や装荷パターン、燃焼度（BOC、MOC、EOC等）に依存して炉心特性は異なり、それぞれの炉心に応じて運転時の応答が異なる。このため、一定回数訓練を行うたびにシミュレーション対象の炉心を入れ替えたいといった要求がある。その一方で、従来のプラント運転シミュレータでは炉心データを変更するのに手間がかかり、前述の要求に応えられるほど頻繁にデータ変更を実施するのは現実的ではなかった。
【０００６】
本発明の実施形態は、シミュレーション対象を容易に入れ替えることが可能なプラント運転シミュレータ、シミュレーション支援装置、およびプラント運転シミュレーション方法を提供することを目的とする。
【課題を解決するための手段】
【０００７】
一実施形態によれば、プラント運転シミュレータは、モデルデータベースと、本体部と、シミュレーション支援装置と、を備える。モデルデータベースは、プラントの状態に関連するモデルデータを格納する。本体部は、モデルデータベースから読み出したモデルデータを用いて、プラントの運転をシミュレーションする。シミュレーション支援装置は、本体部のシミュレーション条件に対応するデータを格納または作成し、データをモデルデータに変換してモデルデータベースで入れ替える。
【発明の効果】
【０００８】
本実施形態によれば、シミュレーション対象を容易に入れ替えることが可能となる。
【図面の簡単な説明】
【０００９】
【図１】第１実施形態に係るプラント運転シミュレータの構成を示すブロック図である。
【図２】燃料ノードの無限増倍率と燃焼度との関係の一例を示すグラフである。
【図３】１次データベース４１のデータ配列の一例を示す図である。
【図４】第２実施形態に係るプラント運転シミュレータの構成を示すブロック図である。
【図５】第３実施形態に係るプラント運転シミュレータの構成を示すブロック図である。
【図６】第４実施形態に係るプラント運転シミュレータの構成を示すブロック図である。
【図７】第５実施形態に係るプラント運転シミュレータの構成を示すブロック図である。
【図８】代表パラメータの変動を示す図である。
【図９】第６実施形態に係るプラント運転シミュレータの構成を示すブロック図である。
【図１０】炉心の切替前後におけるシミュレーション結果の不一致量を示す図である。
【発明を実施するための形態】
【００１０】
以下、本発明の実施形態を図面を参照して説明する。本実施形態は、本発明を限定するものではない。
【００１１】
（第１実施形態）
図１は、第１実施形態に係るプラント運転シミュレータの構成を示すブロック図である。図１に示すプラント運転シミュレータ１は、モデルデータベース１０と、本体部２０と、制御指令部３０と、シミュレーション支援装置４０と、を備える。
【００１２】
モデルデータベース１０は、プラントの状態に関連するモデルデータを格納する。プラントが原子力プラントの場合、モデルデータは、炉心の状態に関連する炉心データに相当する。この炉心データは、例えば、炉心の分割数に相当する燃料ノード数、燃料タイプ、各燃料ノードの燃焼度、各燃料ノードの水密度の履歴、および核定数の内挿データ等を含む。
【００１３】
本体部２０は、操作部２１と、プラント制御部２２と、モデル演算部２３と、表示部２４と、を有する。操作部２１は、シミュレーションに関するユーザの操作入力を受け付ける。プラント制御部２２は、操作部２１の操作入力に基づいて、プラントの実際の動作を疑似的に制御する。モデル演算部２３は、プラント制御部２２の制御に基づいてモデルデータベース１０からモデルデータを読み出してプラントの運転(挙動)をシミュレーションする。表示部２４は、モデル演算部２３のシミュレーション結果を表示する。
【００１４】
制御指令部３０は、本体部２０およびシミュレーション支援装置４０を制御する。制御指令部３０の制御には、例えば、シミュレーションの実行（ＲＵＮ）と停止（ＦＲＥＥＺＥ）の切り替え、プラント故障（マルファンクション）の指令、プラント状態の強制切り替え（オルタレーション）の指令等が含まれる。制御指令部３０は、例えば、本体部２０およびシミュレーション支援装置４０に対して種々の指令を送る端末として構成されていてもよい。
【００１５】
シミュレーション支援装置４０は、１次データベース４１と、条件指定部４２と、データ処理部４３と、を有する。１次データベース４１は、上記モデルデータを作成するためのデータを格納する。本実施形態では、１次データベース４１は、各燃料ノードにおける無限増倍率や核分裂時の中性子発生数、遅発中性子割合等といった核定数を再構築できる様なデータ配列を構成する。このデータ配列を元に核定数を構築することによって、燃料温度の増減や冷却材密度の変化、制御棒の有無により印加される反応度を算出できるようにする。
【００１６】
本実施形態では、燃料ノードの無限増倍率Ｋｉｎｆは、下式（１）に示すように、１次データベース４１から構築した基準無限増倍率Ｋｉｎｆ０に対して、ボイド率補正項ＶＯＩＤ、ドップラー補正項ＤＯＰ、ゼノン補正項ＸＥといった補正項を加えている。式（１）では、ＥＸは燃焼度を示し、ＩＦは燃料タイプを示す。
【数１】
2019159276.tif 000003
【００１７】
図２は、燃料ノードの無限増倍率Ｋｉｎｆと燃焼度との関係の一例を示すグラフである。例えば、冷却水の密度が高くなった場合、ボイド率補正項ＶＯＩＤの値がプラスとなる。この場合、無限増倍率Ｋｉｎｆのグラフは、基準無限増倍率Ｋｉｎｆ０よりも上側にシフトする。反対に、冷却水の密度が低くなった場合、ボイド率補正項ＶＯＩＤの値がマイナスとなる。この場合、無限増倍率Ｋｉｎｆのグラフは、基準無限増倍率Ｋｉｎｆ０よりも下側にシフトする。このようにして、運転中の任意の運転状態を再現できるようにする。
【００１８】
式（１）において、補正項の一部は、燃料タイプや燃焼度に依存する。また、燃料タイプＩＦは、燃料ノードの三次元の位置座標ｉｊｋを指定すれば一意的に決まる。そのため、補正項の一部は、燃焼度と燃料ノードの位置座標に依存するともいえる。そのため、式（１）は下記の式（２）に換算できる。
【数２】
2019159276.tif 000004
【００１９】
補正項の一部をＫｉｎｆ１とすると、Ｋｉｎｆ１は、例えば、図３に示すデータ配列を用いて、下記の式（３）で表される。式（３）において、係数Ｋｉｎｆ２、係数Ｋｉｎｆ３、係数Ｋｉｎｆ４は、位置座標ｉｊｋおよび燃焼度ＥＸの関数として１次データベース４１にデータ配列として格納されている。また、式（３）において、Ｕ、Ｕ２は冷却材密度や燃料温度といった瞬時パラメータまたは履歴水密度といった履歴パラメータ依存変数である。
【数３】
2019159276.tif 000005
【００２０】
１次データベース４１は、シミュレーション対象の炉心毎にデータ配列を格納する。なお、燃料シャッフルを考慮する場合、１次データベース４１は、各サイクルのデータ配列を格納する。また、１次データベース４１は、訓練内容に応じて必要なデータを格納するので、データ配列を構成するデータの種類は、特に限定されない。
【００２１】
条件指定部４２は、制御指令部３０の指令に基づいて、シミュレーション条件をデータ処理部４３へ指定する。この条件指定部４２は、例えば、燃料サイクルや運転点をシミュレーション条件として指定する。なお、条件指定部４２は、制御指令部３０の構成要素に含まれていてもよい。
【００２２】
データ処理部４３は、１次データベース４１から条件指定部４２の指定に対応するデータを読み出し、読み出したデータをモデルデータに変換してモデルデータベース１０へ格納する。これにより、モデルデータがモデルデータベース１０で入れ替わる。ここで、データ処理部４３によるデータ変換の一例について説明する。
【００２３】
１次データベース４１に格納されたデータ配列の一部は、燃焼度ＥＸと燃料ノードに依存した形式である。しかし、一般的にシミュレータによる運転訓練中に核燃料の燃焼が進むことは考慮しない。そのため、本実施形態では、データ処理部４３は、モデルデータベース１０に格納する前に、燃焼度依存性を燃料ノード位置座標に縮約する変換処理を行う。
【００２４】
具体的には、データ処理部４３は、炉心解析コードの座標系からモデル演算部２３の座標系に座標変換を行う等、必要に応じてモデルデータへのデータ形式変換も行う。このとき、１次データベース４１に格納するデータ配列のデータ数は有限である。そのため、条件指定部４２から指定された運転点における燃焼度のデータが１次データベース４１に存在しない場合、データ処理部４３は、１次データベース４１に格納されたデータ配列から内挿する。
【００２５】
データ処理部４３は、多項式内挿やラグランジュ内挿等を用いるが、内挿方法は特に限定されない。ラグランジュ内挿の場合、データ処理部４３は、下記の式（４）を用いて変換処理を行う。
【数４】
2019159276.tif 000006
【００２６】
式（４）において、σ’は変換後のデータ配列であり、σは変換前のデータ配列である。また、ＥＸｍおよびＥＸｎは、１次データベース４１に格納されている有限の燃焼度であり、ＥＸは、指定された運転点における燃焼度である。
【００２７】
以上説明した本実施形態によれば、核定数を構築可能なデータが予め１次データベース４１に格納されている。そのため、データ処理部４３が、１次データベース４１から任意の運転点に対応するデータを読み出してモデルデータに変換することによって、新たなモデルデータをモデルデータベース１０で入れ替えることが可能となる。その結果、モデル演算部２３で用いるモデルデータを瞬時に入れ替えることができるので、シミュレーション対象を容易に入れ替えることが可能となる。このとき、モデル演算部２３は、モデルデータの内挿処理を行う必要がないため、本体部２０の処理負荷を増やすことなく運転のバリエーションを増やすことが可能となる。
【００２８】
なお、本実施形態では核定数として無限増倍率の補正項をデータ配列から再構築する例を詳細に説明したが、基準無限増倍率、中性子発生数や遅発中性子割合といった核定数もも同様にデータ配列から再構築することができる。その際、式の次数や構築式は核定数やモデルの種類によって異なる。
【００２９】
（第２実施形態）
図４は、第２実施形態に係るプラント運転シミュレータの構成を示すブロック図である。上述した第１実施形態と同様の構成要素には同じ符号を付し、詳細な説明を省略する。
【００３０】
本実施形態係るプラント運転シミュレータ２では、シミュレーション支援装置４０の構成が第１実施形態と異なる。図４に示すシミュレーション支援装置４０は、データ作成部４４をさらに有する。
【００３１】
例えば、運転計画に基づき第１サイクルから平衡サイクルまでの炉心について運転訓練を行う場合、炉心データはサイクル毎に必要となる。この場合、まず、条件指定部４２は、第１サイクルから平衡サイクルまでの炉心データを１次データベース４１に格納する旨の指令をデータ作成部４４へ送信する。データ作成部４４は、予め規定された炉心解析コードに基づいて炉心データを作成し、作成した炉心データを１次データベース４１へ格納する。
【００３２】
次に、条件指定部４２は、ユーザに指定された第ｎサイクルのある運転点の炉心データをモデルデータに変換してモデルデータベース１０へ格納する旨の指令をデータ処理部４３へ送信する。データ処理部４３は、１次データベース４１から上記指令に対応する炉心データを読み出し、読み出した炉心データをモデルデータに変換してモデルデータベース１０へ格納する。これにより、炉心データが切り替わり、第ｎサイクルの運転シミュレーションが実行される。なお、ユーザによる炉心データの指定は、制御指令部３０を介して条件指定部４２により行われてもよい。
【００３３】
以上説明した本実施形態によれば、データ作成部４４が１次データベース４１に格納される炉心データを作成することが可能となる。これにより、予め１次データベース４１に格納されている炉心データだけでなく、新たに炉心データを追加することが可能となる。これにより、例えば、現在装荷中の炉心状態のみならず次回燃料シャッフル後の炉心装荷状態や新型燃料装荷時といった任意の炉心状態をシミュレーションすることができる。その結果、プラント運転訓練だけでなく、炉心変更後の運転確認を行うことも可能となる。
【００３４】
（第３実施形態）
図５は、第３実施形態に係るプラント運転シミュレータの構成を示すブロック図である。上述した第１および第２実施形態と同様の構成要素には同じ符号を付し、詳細な説明を省略する。
【００３５】
本実施形態に係るプラント運転シミュレータ３では、シミュレーション支援装置４０の構成が第１および第２実施形態と異なる。図５に示すシミュレーション支援装置４０では、条件指定部４２がデータ作成部４４に対して、シミュレーション対象の運転点を指定すると、データ作成部４４は、第２実施形態と同様に炉心解析コードに基づいて炉心データを作成してデータ処理部４３へ出力する。
【００３６】
データ処理部４３は、上記炉心データをモデルデータに直接変換してモデルデータベース１０へ格納する。その結果、炉心データが切り替わる。なお、本実施形態も、第２実施形態と同様に、ユーザによる炉心データの指定は、制御指令部３０を介して条件指定部４２により行われてもよい。
【００３７】
以上説明した本実施形態によれば、条件指定部４２によりシミュレーション対象とするサイクルの運転点をユーザが指定するのみで、シミュレーション条件を切り替えることが可能となる。また、シミュレーション条件の指定のたびに、データ処理部４３が、直接モデルデータに変換するので、１次データベース４１が不要となる。そのため、シミュレーション支援装置４０の構成をより簡易にすることができる。
【００３８】
（第４実施形態）
図６は、第４実施形態に係るプラント運転シミュレータの構成を示すブロック図である。上述した第１〜第３実施形態と同様の構成要素には同じ符号を付し、詳細な説明を省略する。本実施形態係るプラント運転シミュレータ４では、シミュレーション支援装置４０の構成が第１〜第３実施形態と異なる。
【００３９】
図６に示すシミュレーション支援装置４０は、データ群４５およびデータ処理群４６を有する。データ群４５は、データ形式が異なる複数のデータを含む。データ処理群４６は、データ形式にそれぞれ対応する複数のデータ処理部４３を含む。
【００４０】
本実施形態では、条件指定部４２が、シミュレーション条件に基づいて、複数のデータ処理部４３のいずれかを指定する。指定されたデータ処理部４３は、データ形式が対応するデータをモデルデータに変換してモデルデータベース１０へ格納する。その後、モデル演算部２３が、モデルデータベース１０へ格納されたモデルデータを用いてシミュレーションする。
【００４１】
シミュレーション対象が同じ炉心であっても、モデル演算部２３が用いるモデルデータは、炉心解析コードまたはプラントの実機データの種類によりシミュレーション精度やシミュレーション特性が異なることが想定される。本実施形態によればデータ形式が異なる複数のデータを含むデータ群４５に対して、それぞれのデータ形式に対応するデータ処理部４３が存在する。データ処理部４３のそれぞれが、データ群４５に含まれるデータのうちデータ形式が対応するものをモデルデータに変換する。これにより、様々なデータ形式の炉心データが存在しても、プラントの運転をシミュレーションすることができる。
【００４２】
（第５実施形態）
図７は、第５実施形態に係るプラント運転シミュレータの構成を示すブロック図である。上述した第１実施形態と同様の構成要素には同じ符号を付し、詳細な説明を省略する。本実施形態係るプラント運転シミュレータ５では、シミュレーション支援装置４０の構成が第１実施形態と異なる。
【００４３】
図７に示すシミュレーション支援装置４０は、静定判定部４７および初期値保存部４８をさらに有する。静定判定部４７は、モデル演算部２３によるシミュレーション結果に基づいて、シミュレーション開始時におけるプラントの状態が静定しているか否かを判定する。初期値保存部４８は、静定判定部４７が静定を判定したときにモデル演算部２３で用いられた初期値データを保存する。なお、静定判定部４７は、制御指令部３０の構成要素に含まれていてもよい。
【００４４】
本実施形態では、シミュレーション対象の炉心が替わると、モデルデータベース１０に格納されるモデルデータ、換言すると炉心データが入れ替わる。その後、入れ替え前と同じ初期値データを用いると、プラントの炉心出力や炉心流量、炉心圧力のバランスに差異が生じる場合がある。この場合、同じ初期値データを用いてモデル演算部２３がシミュレーションを実行すると、図８に示すように、上記バランスの差異によって代表パラメータの値が一定期間変動する。
【００４５】
そこで、本実施形態では、シミュレーション対象の炉心を入れ替えたとき、まず、モデル演算部２３が、入替前と同じ初期値データを用いてシミュレーションを実行する。モデル演算部２３は、シミュレーション結果を静定判定部４７へ出力する。
【００４６】
次に、静定判定部４７が、炉心出力、炉心流量といった代表パラメータが静定したか否かを判定する。代表パラメータが静定すると、このときの初期値データが初期値保存部４８が保存する。
【００４７】
本実施形態では、静定判定部４７は、振幅の減衰率である減幅比と振動周期から静定に要する時間を算出することによって判定してもよいし、代表パラメータの変位が設定値以下になった時点で静定したと判定してもよい。これらの例示された手法以外の判定方法であってもよい。また、代表パラメータも炉心出力および炉心流量に限定されない。
【００４８】
以上説明した本実施形態によれば、シミュレーション対象の炉心を別の炉心に入れ替えても、入替後の炉心に最適な初期値データを容易に生成することが可能となる。なお、静定判定部４７による静定判定は、ユーザが、表示部２４または制御指令部３０に表示された画面に基づいて判定してもよい。この場合、ユーザが操作部２１を通じて初期値データを初期値保存部４８に保存させる。また、静定判定部４７および初期値保存部４８は、上述した第１〜第４実施形態に係るシミュレーション支援装置４０の構成要素に含まれていてもよい。
【００４９】
（第６実施形態）
図９は、第６実施形態に係るプラント運転シミュレータの構成を示すブロック図である。上述した第５実施形態と同様の構成要素には同じ符号を付し、詳細な説明を省略する。本実施形態係るプラント運転シミュレータ６では、シミュレーション支援装置４０の構成が第５実施形態と異なる。図９に示すシミュレーション支援装置４０は、データ評価部４９をさらに有する。
【００５０】
入替前後における炉心の特性の差異が大きいと、図８に示す代表パラメータの波形が発散して収束しないことも想定され得る。そこで、本実施形態では、モデルデータベース１０に格納された炉心データが入れ替わると、まず、モデル演算部２３が、入替前の初期値データおよび入替後の炉心データを用いてシミュレーションを実行する。
【００５１】
図１０は、炉心の入替前後におけるシミュレーション結果を比較した図である。図１０では、入替前の主要炉心パラメータ５１と、入替後の主要炉心パラメータ５２とを重ねて表示している。主要炉心パラメータは、初期値データに含まれている。図１０に示すように、シミュレーション対象の炉心の特性が異なると、モデル演算部２３によるシミュレーション結果には差異が生じる。なお、図１０は、表示部２４または制御指令部３０に画面表示してもよい。
【００５２】
本実施形態では、データ評価部４９は、主要炉心パラメータ５１と、主要炉心パラメータ５２との差δ１〜δＮを不一致量として算出する。さらに、本実施形態では、制御棒位置や再循環流量設定値に代表される複数の運転パラメータのうち、不一致が生じている主要炉心パラメータと相関する運転パラメータを、不一致量に基づいて補正する。
【００５３】
例えば、炉心流量が等しい運転点において炉心出力に不一致がある場合、炉心出力と相関する運転パラメータは、制御棒密度または炉心流量に関連する操作である。そのため、データ評価部４９は、炉心出力の不一致が解消するように制御棒密度を補正する。実際には、制御棒引抜または挿入シーケンスに従って、不一致が解消するときの制御棒密度に対応する制御棒パターンを設定すればよい。その後、モデル演算部２３がシミュレータを実行すると、静定判定部４７が、代表パラメータが静定することを確認し、初期値保存部４８が初期値データを保存する。
【００５４】
以上説明した本実施形態によれば、シミュレーション対象の炉心を入れ替える前に作成された初期値データに対して、炉心を入れ替えた後の主要炉心パラメータの不一致量を把握することができる。また、データ評価部４９が、制御棒位置に代表される運転パラメータに対して不一致量に応じた補正を行うことで、初期値データを迅速に作成することができる。
【００５５】
なお、データ評価部４９が運転パラメータを補正した後、補正後の初期値データは、静定判定部４７の確認を行うことなく初期値保存部４８に保存されてもよい。この場合、初期値データをより迅速に作成することができる。また、この場合、静定判定部４７は、上述した第１〜第４実施形態に係るシミュレーション支援装置４０の構成要素に含まれていてもよい。
【００５６】
（変形例）
以下、上述した第１〜第６実施形態の変形例について説明する。本変形例では、上述したプラント運転シミュレータ１〜６が、可搬型のシミュレータである。この場合、プラント運転シミュレータ１〜６を任意の場所へ持ち運ぶことができる。そのため、緊急時対策室や中央操作室へ持ち込んで運転訓練することが可能となる。また、執務室における学習用として活用することも可能となる。
【００５７】
以上、いくつかの実施形態および変形例を説明したが、これらの実施形態は、例としてのみ提示したものであり、発明の範囲を限定することを意図したものではない。本明細書で説明した新規なシステムは、その他の様々な形態で実施することができる。また、本明細書で説明したシステムの形態に対し、発明の要ことを逸脱しない範囲内で、種々の省略、置換、変更を行うことができる。添付の特許請求の範囲およびこれに均等な範囲は、発明の範囲や要ことに含まれるこのような形態や変形例を含むように意図されている。
【符号の説明】
【００５８】
１〜６  プラント運転シミュレータ、１０  モデルデータベース、２０  本体部、４０  シミュレーション支援装置、４１  １次データベース、４２  条件指定部、４３  データ処理部、４４  データ作成部、４５  データ群、４６  データ処理群、４７  静定判定部、４９  データ評価部
【図１】
2019159276.tif 000007
【図２】
2019159276.tif 000008
【図３】
2019159276.tif 000009
【図４】
2019159276.tif 000010
【図５】
2019159276.tif 000011
【図６】
2019159276.tif 000012
【図７】
2019159276.tif 000013
【図８】
2019159276.tif 000014
【図９】
2019159276.tif 000015
【図１０】
2019159276.tif 000016